(57)【要約】      （修正有）【課題】自動販売機の商品収容庫の冷却の際に発生する冷却ユニット装置の圧縮機からの廃熱を商品収容庫の加熱に利用することにより、消費電力量低減を図った自動販売機の熱輸送加熱装置において、熱輸送若しくは熱遮断性能を向上させる。【解決手段】圧縮機の表面に設けられその廃熱を受熱するための受熱部１８と、加熱室として使用する商品収容庫に配設された放熱部２０と、前記受熱部と放熱部との間に設けられ、前記受熱部で受熱した熱を前記放熱部に伝熱若しくは遮断するための熱切替部１９と、から構成された熱輸送加熱装置を備え、前記熱切替部の受熱プレート１９ａと放熱プレート１９ｂを接触若しくは離反させるための切替レバー１９ｃと、受熱プレートと放熱プレートの間に付勢手段を設けて接触時の密着性向上による熱伝達性と離反時の熱遮断性を向上する。【選択図】図３
2012221349.tif 000002
【特許請求の範囲】
【請求項１】
断熱筐体として形成された本体キャビネットの庫内が断熱仕切板によって左右方向に複数の商品収容庫に仕切られ、前記複数の商品収容庫の少なくとも一つが冷却／加熱兼用の商品収容庫として冷却／加熱される自動販売機であって、
前記冷却／加熱兼用の商品収容庫に配設された庫内熱交換器と電熱ヒータからなる冷却／加熱ユニットと、機械室に配設されるとともに前記冷却／加熱ユニットと冷媒配管を介して接続されたコンデンシングユニットを形成するところの、冷媒を圧縮する圧縮機、冷媒を冷却する凝縮器，冷媒を膨張する膨張機構とを備えた自動販売機において、
前記圧縮機の廃熱を受熱するための受熱部と、前記冷却／加熱兼用の商品収容庫に配設した放熱部と、前記受熱部と放熱部との間に設けられ、前記受熱部で受熱した熱を放熱部に伝熱若しくは遮断するための熱切替部とからなる熱輸送加熱装置を配備し、
前記熱輸送加熱装置の熱切替部は、前記受熱部に接続された受熱プレート、前記放熱部に接続された放熱プレートおよび当該受熱プレートと放熱プレートを接触若しくは離反させるための切替レバーを具備し、前記受熱プレートと放熱プレートを商品収容庫の外部に配設するとともに本体キャビネットの前方に引き出された切替レバーにより切換操作されることを特徴とする自動販売機。
【発明の詳細な説明】
【技術分野】
【０００１】
この発明は冷却・加熱を行なう自動販売機に関するものである。
【背景技術】
【０００２】
従来、たとえば缶入り飲料やペットボトル飲料等の商品を販売する自動販売機では、断熱材によって包囲された筐体の内部が、複数の商品収容庫に仕切られ、収納している商品や季節に応じて、冷却されたり、加熱されたり適宜切り替えられている。すなわち冷却／加熱を行なう自動販売機においては、公知の冷凍サイクルを実現する冷却／加熱ユニット装置が搭載されており、冷却／加熱ユニット装置を構成する庫内熱交換器の吸熱によって商品収容庫の冷却が行なわれている。また、商品収容庫に電熱ヒータを設置し、電熱ヒータを通電させることにより加熱を行なっており、この種の自動販売機としては図１１に示すものが一般的に知られている。
【０００３】
図１１は自動販売機の内部構造を示す側面図であり、図において、本体キャビネット１の前面には、外扉２及び内扉３が設けてある。外扉２は、本体キャビネット１の前面開口を開閉するためのものであり、外扉２の前面には、図示しないが販売商品の見本を展示する商品展示室、販売する商品を選択するための商品選択ボタン、貨幣を投入する貨幣投入口など、商品の販売に必要となる部品が配置してある。内扉３は、商品収容庫５の前面を閉塞し、商品収容庫５に収納されている商品Ｓを保冷、保温するものであり、断熱部材により構成された開閉可能な構造体である。
【０００４】
上記商品収容庫５には、商品収納ラック７、商品搬出機構７ａ及び商品搬出シュート９が設けてある。商品収納ラック７は、商品Ｓを上下方向に沿って並ぶ態様で収納するためのものである。商品搬出機構７ａは、商品収納ラック７の下部に設けてあり、この商品収納ラック７に収納された商品Ｓの最下位にある商品Ｓを１つずつ搬出するためのものである。
【０００５】
そして商品搬出シュート９の下方域には、庫内熱交換器１３、庫内ファン１４、電熱ヒータ１５からなる冷却／加熱ユニット２７が配設してある。庫内熱交換器１３は循環ダクト１６の前面側に配設してあり、機械室６に配設された圧縮機１０、凝縮器１１、庫外ファン１２、膨張機構２８からなるコンデンシングユニット２６と冷媒配管３１を通じて順次接続された冷却／加熱ユニット装置として冷凍サイクルを形成している。
【０００６】
圧縮機１０は、吸引口を通じて冷媒を吸引し、吸引した冷媒を圧縮して高温高圧の状態（高温高圧冷媒）にして吐出口より吐出するものである。凝縮器１１は、通過する冷媒を凝縮させるものである。より詳細に説明すると、圧縮機１０で圧縮され、かつ吐出口から吐出されて冷媒配管３１を通じて送出された冷媒を周囲空気と熱交換させて凝縮させるものである。膨張機構２８は、通過する冷媒を減圧して断熱膨張させるものである。
【０００７】
これら冷凍サイクルで冷媒を循環させることにより、圧縮機１０で圧縮された冷媒が凝縮器１１で凝縮され、その後に膨張機構２８で断熱膨張されて庫内熱交換器１３を通過する。冷媒が庫内熱交換器１３を通過する際に、該庫内熱交換器１３が配設された商品収容庫５の内部空気との間で熱交換が行われて、自身が蒸発して内部空気を冷却する。蒸発した冷媒は圧縮機１０に吸引される。
【０００８】
冷却された内部空気は庫内ファン１４の駆動により商品収容庫５の内部を循環し（図示点線矢印）、これにより該商品収容庫５の商品収納ラック７に収納された商品Ｓは所望の温度（例えば５℃）に冷却されることになる。
【０００９】
電熱ヒータ１５は、庫内ファン１４の前方域に配設してある。この電熱ヒータ１５は通電状態となることにより周囲空気を加熱するものである。電熱ヒータ１５により加熱された空気は、庫内ファン１４の駆動により商品収容庫５の内部を循環し（図示点線矢印）、これにより商品収容庫５の商品収納ラック７に収納された商品は所望の温度（例えば５５℃）に加熱されることになる。
【００１０】
また、近年は省エネルギー化の要請から、商品収容庫に庫内熱交換器を追加装備して、前記圧縮機、庫外熱交換器と接続し凝縮器として使用し、当該凝縮器の熱を庫内の加熱に利用することにより電熱ヒータの運転率を下げて消費電力低減を図っているヒートポンプ方式の自動販売機がよく知られている。（例えば特許文献１）
【先行技術文献】
【特許文献】
【００１１】
【特許文献１】特開２００４−１８４０１９号公報
【発明の概要】
【発明が解決しようとする課題】
【００１２】
しかしながら省エネを目的としたヒートポンプ方式の冷却／加熱ユニット装置においては、ヒートポンプ方式専用の冷却／加熱ユニット装置で構成され、その冷却／加熱制御もそれに対応したヒートポンプ方式専用の制御回路とする必要がある。そのため従来の電熱ヒータを利用した冷却／加熱ユニット装置に対し、複数の電磁弁や温度検知センサなどヒートポンプ運転に必要な部品追加などで、部品点数増大によるコストアップ、冷媒流路及び冷媒流量制御や温度検知センサ制御など冷却／加熱制御の複雑さによる制御上の不具合も懸念される。
【００１３】
本発明は上記課題に鑑み、電熱ヒータを用いた従来の冷却／加熱ユニット装置においても省エネ化を実現させることを目的とし、冷却／加熱ユニット装置を変更することなく電熱ヒータの運転率を下げて消費電力量低減（省エネルギー化）を図った自動販売機を提供することにある。
【課題を解決するための手段】
【００１４】
上記課題を達成するために、請求項１に係る発明は、断熱筐体として形成された本体キャビネットの庫内が断熱仕切板によって左右方向に複数の商品収容庫に仕切られ、前記複数の商品収容庫の少なくとも一つが冷却／加熱兼用の商品収容庫として冷却／加熱される自動販売機であって、
前記冷却／加熱兼用の商品収容庫に配設された庫内熱交換器と電熱ヒータからなる冷却／加熱ユニットと、機械室に配設されるとともに前記冷却／加熱ユニットと冷媒配管を介して接続されたコンデンシングユニットを形成するところの、冷媒を圧縮する圧縮機、冷媒を冷却する凝縮器，冷媒を膨張する膨張機構とを備えた自動販売機において、
前記圧縮機の廃熱を受熱するための受熱部と、前記冷却／加熱兼用の商品収容庫に配設した放熱部と、前記受熱部と放熱部との間に設けられ、前記受熱部で受熱した熱を放熱部に伝熱若しくは遮断するための熱切替部とからなる熱輸送加熱装置を配備し、
前記熱輸送加熱装置の熱切替部は、前記受熱部に接続された受熱プレート、前記放熱部に接続された放熱プレートおよび当該受熱プレートと放熱プレートを接触若しくは離反させるための切替レバーを具備し、前記受熱プレートと放熱プレートを商品収容庫の外部に配設するとともに本体キャビネットの前方に引き出された切替レバーにより切換操作されることを特徴とする。
【発明の効果】
【００１５】
本発明の請求項１に係る自動販売機によれば、圧縮機の廃熱を受熱するための受熱部と、前記冷却／加熱兼用の商品収容庫に熱を放出するための放熱部と、前記受熱部と放熱部との間に設けられ、前記受熱部で受熱した熱を放熱部に伝熱若しくは遮断するための熱切替部とからなる熱輸送加熱装置を配備し、従来では自動販売機の外部へ放出していた圧縮機の廃熱を、加熱室として使用する商品収容庫の加熱に利用するといった簡便な方法で、電熱ヒータの運転率を下げて消費電力量低減（省エネルギー化）を図ることができるという効果を有する。
【００１６】
また、前記熱切替部において、当該熱切替部に設けた切替レバーを回動させることにより、前記受熱部と前記放熱部を接触若しくは離反させることが可能なため、商品収容庫への熱伝達若しくは熱遮断を簡単に切り替えることができ、熱輸送加熱装置に設けられた前記熱切替部を自動販売機の商品収容庫の外部に配したことにより、前記商品収容庫の冷却、加熱の切替の際、前記商品収容庫の前面にある断熱用の内扉を開閉することなく、前記受熱部と前記放熱部を接触させたり、離反させることができるため、冷却または加熱された庫内が外気温の影響を受けることなく前記商品収容庫内への熱伝達、熱遮断の切り替えを行なうことができる。
【００１７】
さらに、前記受熱部の受熱プレートと、前記放熱部の放熱プレートを接触させる際に付勢手段を設けることにより、前記放熱プレートを前記受熱プレートの接触面全体に付勢力で押圧することができるため、前記受熱部の受熱プレートと前記放熱部の放熱プレートの接触時の密着性が高まり、熱伝達効率が向上する。
【図面の簡単な説明】
【００１８】
【図１】図１は、本発明の実施の形態である自動販売機の本体内部構造を正面から見た図である。
【図２】図２は、本発明の実施の形態である自動販売機の熱輸送加熱装置の取り付け状態を示した本体内部構造の側面図である。
【図３】図３は、本発明の実施の形態である自動販売機の熱輸送加熱装置の全体外観図である。
【図４】図４は、本発明の実施の形態である自動販売機の熱輸送加熱装置を、冷却／加熱ユニット装置に取り付けた状態図である。
【図５】図５は、受熱部の詳細図を示し、（ａ）が受熱部を圧縮機に当接した状態図、（ｂ）が受熱部の構成部品を示した取付分解図である。
【図６】図６は、熱切替部の詳細図を示し、（ａ）が受熱プレートと放熱プレートが密着された状態図、（ｂ）が受熱プレートと放熱プレートが切り離されている状態図である。
【図７】図７は、受熱プレート（放熱プレート）と受熱用ヒートパイプ（放熱用ヒートパイプ）の取付図を示し、（ａ）が受熱プレート（放熱プレート）と受熱用ヒートパイプ（放熱用ヒートパイプ）が取付けられた状態図、（ｂ）が受熱プレート（放熱プレート）と受熱用ヒートパイプ（放熱用ヒートパイプ）の取付分解図である。
【図８】図８は、熱切替部の取付分解図である。
【図９】図９は、熱切替部の切替レバーの外観操作図である。
【図１０】図１０は、本発明の実施の形態である自動販売機の熱輸送加熱装置における熱伝達の流れを示した模式図であり、（ａ）が熱輸送時、（ｂ）が熱遮断時を示す。
【図１１】図１１は、従来の自動販売機の本体内部構造の側面図である。
【発明を実施するための形態】
【００１９】
以下に添付図面を参照しながら、本発明に係る自動販売機の熱輸送加熱装置の実施の形態について詳細に説明する。
図１は、本発明の実施の形態である自動販売機の本体内部構造を正面から見た図であり、本体キャビネット１は、前面が開口した断熱筐体として形成されている。本図においては、本体キャビネット１の内部には２つの断熱仕切板３０によって仕切られた３つの独立した商品収容庫５が左右に並んだ態様で設けてある。この商品収容庫５は、缶入り飲料やペットボトル入り飲料等の商品を所望の温度に維持した状態で収容するためのもので、断熱構造を有している。なお、３つの独立した商品収容庫５は、例えば、正面視左側の商品収容庫５が冷却専用の商品収容庫、中央及び右側の商品収容庫５が冷却／加熱兼用の商品収容庫として構成されている。
【００２０】
図２は、本発明にかかる熱輸送加熱装置１７（図３参照）を配した自動販売機の内部構造を示す側面図である。なお、この例では図１における右端側の商品収納庫５の内部構造を示しており、図１１（従来の自動販売機の本体内部構造の側面図）と同一部品においては図１１と同じ符号にて説明する。
【００２１】
図２に示した本発明の実施の形態の自動販売機が図１１に示した従来装置と相違する点は、図２の太い実線で示した熱輸送加熱装置１７であり、その他の構成は従来装置と同一である。前記熱輸送加熱装置１７は、受熱部１８、熱切替部１９、放熱部２０から構成されている。前記受熱部１８、熱切替部１９、放熱部２０の具体的構造については後述するが、前記受熱部１８は受熱板１８ｂと受熱用ヒートパイプ１８ａからなり、熱切替部１９は受熱プレート１９ａ、放熱プレート１９ｂ、切替レバー１９ｃからなり、放熱部２０は放熱用ヒートパイプ２０ａ及び放熱フィン２０ｂからなる。
【００２２】
前記受熱部１８及び、熱切替部１９は、機械室６に配されるコンデンシングユニット２６に干渉しない位置に配設されている。また、放熱部２０における放熱フィン２０ｂは、庫内熱交換器１３の前方へ配置され、庫内ファン１４、商品搬出シュート９に干渉しない大きさで形成されている。放熱部２０における放熱用ヒートパイプ２０ａは、前記機械室６に配されるコンデンシングユニット２６と庫内熱交換器１３を接続する冷媒配管３１に沿って、前記商品収容庫５内へ導入され、放熱フィン２０ｂに差し込まれ熱的に結合されている。
【００２３】
そして、商品収容庫５を加熱室として使用する際（加熱モード）には、庫内ファン１４の駆動により、熱輸送加熱装置の熱切替部にある受熱プレート１９ａと放熱プレート１９ｂとを密着させることで、圧縮機１０の廃熱を加熱室として使用する商品収容庫５へ熱輸送し、放熱フィン２０ｂから放出された熱が送風される。熱輸送加熱装置１７による加熱が不足する場合には電熱ヒータ１５を通電ＯＮとして所望の温度（例えば５５℃）に加熱する。なお、加熱モードの初期に電熱ヒータ１５を通電ＯＮとして所望の温度（例えば５５℃）に到達するまでの時間を短縮することもできる。
【００２４】
商品収容庫５を冷却室として使用する際（冷却モード）には、電熱ヒータ１５を通電ＯＦＦとし、かつ、熱輸送加熱装置１７の熱切替部１９にある受熱プレート１９ａと放熱プレート１９ｂを切替レバー１９ｃを回動させて切り離したうえで、庫内熱交換器１３と商品収容庫５の内部空気との間で熱交換が行なわれて、内部空気が冷却され、冷風を送風する。
【００２５】
図３は、本発明にかかる熱輸送加熱装置１７の全体外観図である。図に示す通り、受熱用ヒートパイプ１８ａ、放熱用ヒートパイプ２０ａは、図に示すように屈曲加工された形態で受熱部１８、熱切替部１９、放熱部２０が一体的に接続されており、１つの組立部品としてモジュール化（一体化）されている。
【００２６】
図４は、本発明にかかる熱輸送加熱装置１７が冷却／加熱ユニット装置に取り付けられた状態を示している。熱輸送加熱装置１７の構成部品である受熱板１８ｂは、冷却／加熱ユニット装置の構成部品である圧縮機１０に当接固定される。また受熱板１８ｂに接続された受熱用ヒートパイプ１８ａは、冷却／加熱ユニット装置に配置可能な形状に屈曲加工され、冷却／加熱ユニット装置の図示右側に配された熱切替部１９の受熱プレート１９ａへ接続されている。また放熱プレート１９ｂに接続された放熱用ヒートパイプ２０ａは、放熱プレート１９ｂの図示前面へ向かい、商品収納庫５へ通じる冷却／加熱ユニット装置の冷媒配管３１と略同一の形状に屈曲加工され、放熱フィン２０ｂへ熱的に結合されている。放熱フィン２０ｂは冷却／加熱ユニット装置の庫内熱交換器１３の前面に配置される。なお、本図においては受熱用ヒートパイプ１８ａ、放熱用ヒートパイプ２０ａはともに１本ずつで構成され、図示右側の庫内熱交換器１３の前面に配されており、図１における右側の商品収納庫５のみを加熱用に利用しているが、中央の商品収納庫５も加熱用に利用する際は、受熱用ヒートパイプ１８ａ、放熱用ヒートパイプ２０ａ、放熱フィン２０ｂを追加装備してそれぞれ受熱プレート１９ａ、放熱プレート１９ｂに差込み保持させて使用することもできる。
【００２７】
図５は、受熱部１８の詳細図を示し、図５（ａ）が受熱部１８を圧縮機１０に当接固定した状態図、図５（ｂ）が受熱部の構成部品とその取付分解図である。
図５（ａ）において、受熱部１８における受熱板１８ｂは、圧縮機１０の曲面に沿った形状で当接固定され、耐熱性の結束バンド２３により圧縮機１０の外郭表面に密着固定する。なお、本図においては、受熱部１８における受熱板１８ｂを２個並置した場合を示しており、受熱用ヒートパイプ１８ａが２ヶ所差し込み保持できる構成としている。
【００２８】
図５（ｂ）は、受熱部１８において受熱板１８ｂにおける部品構成とその取付方法を示し、図においては、２個並置された受熱板１８ｂのうちの下方の受熱板１８ｂにおいてその構成部品を分解したものである。受熱板１８ｂは、圧縮機１０に当接する受熱板本体１８ｃ、受熱用ヒートパイプ１８ａを受熱板本体１８ｃに保持固定するための固定金１８ｄ、受熱用ヒートパイプ１８ａを受熱板本体１８ｃと固定金１８ｄの間に差し込み保持するための固定ネジ１８ｅで構成されている。受熱板本体１８ｃは、熱伝導性のアルミニウムや銅合金であり、圧縮機１０に当接する面（図示裏面側）は圧縮機１０の曲率面と略同一の曲率面を有した凹形状とし、その反対面（図示面側）は、受熱用ヒートパイプ１８ａを保持する半円状のＵ溝を中央部に有している。また、固定金１８ｄは、熱伝導性のアルミニウムや銅合金であり、受熱用ヒートパイプ１８ａを保持する半円状のＵ溝を中央部に有している。
【００２９】
そして、受熱板本体１８ｃのＵ溝に受熱用ヒートパイプ１８ａを嵌合させた状態で、受熱用ヒートパイプ１８ａを固定金１８ｄのＵ溝に合わせて嵌合させて固定ネジ１８ｅにて固定する。その後、受熱用ヒートパイプ１８ａと受熱板１８ｂが固定された状態で受熱板本体１８ｃを圧縮機１０の外郭表面に当接させて耐熱性の結束バンド２３で固定する。
【００３０】
図６は、本発明にかかる熱切替部１９の詳細図を示し、図６（ａ）が受熱プレート１９ａと放熱プレート１９ｂが密着している状態、図６（ｂ）が受熱プレート１９ａと放熱プレート１９ｂが切り離されている状態を示す。なお、本図では受熱プレート１９ａの差込み孔１９ｆ内に保持する受熱用ヒートパイプ１８ａ、放熱プレート１９ｂの差込み孔１９ｇ内に保持する放熱用ヒートパイプ２０ａは図３で示したものと同一であるため省略してある。
【００３１】
前記熱切替部１９の構成を図８に示す熱切替部の取付分解図を適宜参照して説明すると、切替レバー１９ｃは図示手前側の切替用の把手部と、可動板１９ｎの底面に接するように後方側から手前に折り返した当接部までつながった屈曲アーム形状で形成されている。そして、取付金１９ｈの略Ｕ字形状の溝内に差込み保持され、固定ネジ１９ｉにより取付台１９ｄに回動可能に取り付けられている。
【００３２】
図６（ａ）においては、可動板１９ｎの底面に接触している切替レバー１９ｃの当接部が、可動板１９ｎを押し上げている状態（上昇）を示している。可動板１９ｎが切替レバー１９ｃにより押し上げられることにより、可動板１９ｎにネジ固定されているコイルバネ１９ｐも同時に押し上げられる。それにより、コイルバネ１９ｐの上端と当接している取付台１９ｍ及び放熱プレート１９ｂは、受熱プレート１９ａに接触する。ここで切替レバー１９ｃの回動による切替レバー１９ｃの当接部の鉛直方向の移動距離は、受熱プレート１９ａと放熱プレート１９ｂの隙間（図６（ｂ）の隙間Ｄ）よりも大きくなる回動範囲で形成されている。それにより、切替レバー１９ｃにより下方への付勢を阻止されたコイルバネ１９ｐは圧縮され、その押圧力が受熱プレート１９ａと放熱プレート１９ｂに内在することにより、付勢力を有した密着状態となる。
【００３３】
また、図６（ｂ）に示すように、切替レバー１９ｃの把手部を矢印で示す図示左方向へ回動させると、切替レバー１９ｃの当接部は下方へ移動する。それに伴ってまずコイルバネ１９ｐの圧縮が解放され、次にコイルバネ１９ｐにネジ固定されている可動板１９ｎは、切替レバー１９ｃの当接部に沿って、放熱プレート１９ｂ、取付台１９ｍ及び可動板１９ｎの重みで下方へ移動する。そして、図６（ｂ）に示した状態で静止する。ここで、図６（ｂ）の状態（受熱プレート１９ａと放熱プレート１９ｂが隙間Ｄまで離反された状態）は、図６（ａ）に示したストッパ１９ｋに可動板１９ｎの底面が当接する位置まで下降する。この図６（ｂ）の状態では、コイルバネ１９ｐは放熱プレート１９ｂと取付台１９ｍの重量を受けるため、その重量分が圧縮された状態にある。このように図６（ｂ）の状態でもコイルバネ１９ｐは圧縮された状態で、なおかつストッパ１９ｋにより、放熱プレート１９ｂの下降位置が定められているので、受熱プレート１９ａと放熱プレート１９ｂの隙間Ｄの状態を安定保持できる。それにより放熱プレート１９ｂと受熱プレート１９ａの離反による熱遮断を確実に行なうことができる。
【００３４】
図７は、本発明にかかる受熱プレート１９ａ（放熱プレート１９ｂ）と受熱用ヒートパイプ１８ａ（放熱用ヒートパイプ２０ａ）の取付図であり、適宜、図６も参照しながら説明する。図７（ｂ）に示すように、受熱プレート１９ａ、放熱プレート１９ｂはそれぞれ上下に分割された２部品で構成され、分割された受熱プレート面１９ａ１、放熱プレート面１９ｂ１おいて、受熱プレート面１９ａ１、放熱プレート面１９ｂ１がそれぞれ対向する面には受熱用ヒートパイプ１８ａ、放熱用ヒートパイプ２０ａを載置するためのＵ溝１９ａ２、１９ｂ２がそれぞれ設けてある。そして前記受熱用ヒートパイプ１８ａ（放熱用ヒートパイプ２０ａ）を受熱プレート面１９ａ１（放熱プレート面１９ｂ１）のいずれかのＵ溝１９ａ２、１９ｂ２にセットしたのち、もう一方の受熱プレート面１９ａ１（放熱プレート面１９ｂ１）のＵ溝１９ａ２、１９ｂ２を前記受熱用ヒートパイプ１８ａ（放熱用ヒートパイプ２０ａ）に嵌合させて、それぞれ分割された受熱プレート面１９ａ１、放熱プレート面１９ｂ１をプレート固定ネジ１９ｓにより締結する。それにより、受熱用ヒートパイプ１８ａ（放熱用ヒートパイプ２０ａ）が受熱プレート１９ａ（放熱プレート１９ｂ）に固定される。図６に示した１９ｆ（１９ｇ）が前記Ｕ溝１９ａ２、１９ｂ２同士が対峙することにより形成された、受熱用ヒートパイプ１８ａ（放熱用ヒートパイプ２０ａ）の差込み孔となる。なお、この差込み孔１９ｆ（１９ｇ）は本発明においてはそれぞれ２ヶ所ずつ設けてあり、２つの商品収容庫まで対応可能であるが、加熱用に利用する商品収容庫の数に合わせて、受熱プレート１９ａ、放熱プレート１９ｂのＵ溝１９ａ２、１９ｂ２を増やすことにより、圧縮機１０の廃熱を熱輸送する商品収容庫を増やすことも可能である。
【００３５】
図８は本発明にかかる熱切替部全体の取付分解図を示す。なお本図においては、受熱用ヒートパイプ１８ａ、放熱用ヒートパイプ２０ａは図３、図７などで示したものと同一であるため省略してある。図８において、受熱プレート１９ａと放熱プレート１９ｂは、各々の上下左右の位置決めと脱落防止のために取付台１９ｄに固着された４つの連結ピン１９ｅが貫通する態様で、受熱プレート１９ａが取付台１９ｄに係止されている。放熱プレート１９ｂは、取付台１９ｍに不図示の固定ネジで取付けられ、さらに取付台１９ｍの内側にコの字形状の可動板１９ｎを配設した上で、連結ピン１９ｅを挿入し、放熱プレート１９ｂ、取付台１９ｍ、可動板１９ｎが上下移動自在に保持される。ここで、可動板１９ｎの上面には複数のコイルバネ１９ｐの下端が固定ネジ１９ｒにより締結されており、取付台１９ｍの内側に可動板１９ｎを配設する前に取り付けておく。そして最後に、ストッパ１９ｋを連結ピン１９ｅに装着する。それにより複数のコイルバネ１９ｐの上端が、取付台１９ｍの下面内側に当接する。
【００３６】
図９は、本発明にかかる熱切替部１９の切替レバー１９ｃの動作図を示し、外扉２を開放した状態の本体キャビネット１を右下部からみた斜視図である。図において、カバー２９はその左側を冷却／加熱ユニット装置を形成するコンデンシングユニット２６における凝縮器１１に固定ネジ３２にて取付けられている。カバー２９には切替レバー１９ｃの前面にある把手部を挿通させるための長穴孔２９ｃが設けられており、本発明にかかる熱輸送加熱装置１７を冷却／加熱ユニット装置に取付けた後で、カバー２９を自動販売機前面から取付ける際の切替レバー１９ｃの把手部の逃がし用の長穴である。カバー２９は庫外ファン１２で吸入された外気を効率的に凝縮器１１に供給するための遮風板としての機能を主としている。そしてカバー２９に、本発明の熱輸送加熱装置１７の切替レバー１９ｃの切替操作の際に、熱切替部１９に直接手が触れることができないよう安全カバーとしての機能を持たせる。
【００３７】
次に切替レバー１９ｃの動作について説明する。切替レバー１９ｃの把手部を図示矢印方向に手動で回動させることにより、図６（ａ）に示す状態（熱伝達状態）から、図６（ｂ）に示す状態（熱遮断状態）に変更することができる。詳しく説明すると、カバー２９に設けた丸穴２９ａに切替レバー１９ｃの把手先端部を差し込むことにより、図６（ａ）に示す状態（熱伝達状態）で保持される。その状態から、熱遮断状態に変更する際には丸穴２９ａから切替レバー１９ｃの把手部を図示手前側へ引き出して保持を解放し、次に図示矢印方向へ回動させて、カバー２９に設けた丸穴２９ｂに把手先端部を差し込むことにより、図６（ｂ）に示す状態（熱遮断状態）に保持する。図６（ｂ）に示す状態（熱遮断状態）から図６（ａ）に示す状態（熱伝達状態）に変更する際は、上記動作の逆の手順で行なう。
【００３８】
図１０は、本発明にかかる熱輸送加熱装置１７の熱伝達の流れを模式的に示した図であり、図において、受熱用ヒートパイプ１８ａは、一端を熱伝導性の受熱板１８ｂに、他端は、熱伝導性の受熱プレート１９ａに差し込み保持される。熱伝導性の放熱プレート１９ｂは、前記受熱プレート１９ａと対峙する位置に配され、受熱プレート１９ａと同等の面積と厚みを有している。放熱用ヒートパイプ２０ａは、一端を放熱プレート１９ｂに差し込み保持され、他端は、放熱フィン２０ｂに設けられた差込孔に貫通させて熱的に結合する。
【００３９】
熱伝達の流れは、図示の白抜き矢印に示す。圧縮機１０の内部は、冷却／加熱運転時には高温高圧の冷媒が流れており、圧縮機１０の表面温度も約８０℃に達する。その圧縮機１０に、受熱板１８ｂを当接させることにより、受熱板１８ｂは圧縮機１０の熱を受熱することになる。さらに、受熱板１８ｂに差し込み保持された受熱用ヒートパイプ１８ａがその熱を受熱し、熱輸送を行なう。受熱用ヒートパイプ１８ａから熱輸送された熱は、受熱プレート１９ａで受熱される。
【００４０】
図１０ａの状態（商品収容庫５を加熱室として使用する加熱モードの状態）では、受熱プレート１９ａと放熱プレート１９ｂが密着しているため、受熱プレート１９ａで受熱された熱は、放熱プレート１９ｂへ熱を伝達し、さらに放熱プレート１９ｂに差し込み保持された放熱用ヒートパイプ２０ａがその熱を受熱し、熱輸送を行なう。放熱用ヒートパイプ２０ａから熱輸送された熱は、放熱フィン２０ｂにより放熱される。
【００４１】
図１０ｂの状態（商品収容庫５を冷却室として使用する冷却モードの状態）では、受熱プレート１９ａと放熱プレート１９ｂが切り離されているため、受熱プレート１９ａで受熱された熱は、放熱プレート１９ｂへ熱を伝達することができないため、放熱プレート１９ｂ、放熱用ヒートパイプ２０ａ、放熱フィン２０ｂには熱が伝達されない。
【００４２】
以上に説明したように本発明に係る自動販売機によれば、断熱筐体として形成された本体キャビネット１の庫内が断熱仕切板３０によって左右方向に複数の商品収容庫５に仕切られ、前記複数の商品収容庫５の少なくとも一つが冷却／加熱兼用の商品収容庫として冷却／加熱される自動販売機であって、前記冷却／加熱兼用の商品収容庫に配設された庫内熱交換器１３と電熱ヒータ１５からなる冷却／加熱ユニット２７と、機械室６に配設されるとともに前記冷却／加熱ユニット２７と冷媒配管３１を介して接続されたコンデンシングユニットを形成するところの、冷媒を圧縮する圧縮機１０、冷媒を冷却する凝縮器１１、冷媒を膨張する膨張機構２８とを備えた自動販売機において、圧縮機１０の廃熱を受熱するための受熱部１８と、前記冷却／加熱兼用の商品収容庫に熱を放出するための放熱部２０と、前記受熱部１８と放熱部２０との間に設けられ、前記受熱部１８で受熱した熱を放熱部２０に伝熱若しくは遮断するための熱切替部１９とからなる熱輸送加熱装置１７を配備したことにより、従来の冷却／加熱ユニット装置を変更することなく、従来では自動販売機の外部へ放出していた圧縮機１０の廃熱を、加熱室として使用する商品収容庫の加熱に利用することができ、ヒートポンプ方式の冷却／加熱ユニット装置に変更することなく、簡便な方法で電熱ヒータ１５の運転率を下げて消費電力量低減（省エネルギー化）を図ることができるという効果を有する。また、熱輸送加熱装置１７に設けられた前記熱切替部１９を自動販売機の商品収容庫の外部に配し、当該熱切替部１９に設けた切替レバー１９ｃを回動させることにより、前記受熱部１８と前記放熱部２０を接触若しくは離反させることが可能なため、商品収容庫への熱伝達若しくは熱遮断を簡単に切り替えることができるという効果を有する。
【００４３】
さらに、前記受熱部１８の受熱プレート１９ａと放熱プレート１９ｂの間にコイルバネ１９ｐを設け、受熱プレート１９ａと、放熱プレート１９ｂを接触させる際に、前記放熱プレート１９ｂと前記受熱プレート１９ａの接触面全体にコイルバネ１９ｐの付勢力を押圧することができるため、前記受熱部の受熱プレートと前記放熱部の放熱プレートの接触時の密着性が高まり、熱伝達効率が向上するという効果を有する。
【符号の説明】
【００４４】
１・・・本体キャビネット、２・・・外扉、３・・・内扉、  ５・・・商品収容庫、６・・・機械室、７・・・商品収納ラック、１０・・・圧縮機、１１・・・凝縮器、１２・・・庫外ファン、１３・・・庫内熱交換器、１４・・・庫内ファン、１５・・・電熱ヒータ、１６・・・循環ダクト、１７・・・熱輸送加熱装置、１８・・・受熱部、１８ａ・・・受熱用ヒートパイプ、１８ｂ・・・受熱板、１９・・・熱切替部、１９ａ・・・受熱プレート、１９ｂ・・・放熱プレート、１９ｃ・・・切替レバー、１９ｐ・・・コイルバネ、２０・・・放熱部、２０ａ・・・放熱用ヒートパイプ、２０ｂ・・・放熱フィン、２９・・・カバー
【図１】
2012221349.tif 000003
【図２】
2012221349.tif 000004
【図３】
2012221349.tif 000005
【図４】
2012221349.tif 000006
【図５】
2012221349.tif 000007
【図６】
2012221349.tif 000008
【図７】
2012221349.tif 000009
【図８】
2012221349.tif 000010
【図９】
2012221349.tif 000011
【図１０】
2012221349.tif 000012
【図１１】
2012221349.tif 000013